【手続補正書】
【提出日】平成16年6月8日(2004.6.8)
【手続補正１】
【補正対象書類名】特許請求の範囲
【補正対象項目名】請求項１
【補正方法】変更
【補正の内容】
【請求項１】
クレジットカードによる後払い形式の決済方法を用いて債権の決済を行う債権決済システムであって、前記債権決済システムは、ＡＴＭ端末と、少なくとも一以上の前記ＡＴＭ端末とデータの送受信が可能なセンター側システムとを有しており、
前記ＡＴＭ端末は、
ＡＴＭ端末に挿入された会員のクレジットカードのデータを読み取り、読み取ったデータを前記センター側システムに送信するＡＴＭカード読取手段と、
前記ＡＴＭ端末に前記会員が入力したデータを受け付け、前記受け付けたデータを前記センター側システムに送信する入力受付手段と、からなり、
前記センター側システムは、
前記ＡＴＭ端末から受信した債権の支払先である債権者システムに対して、前記会員の債権の金額（請求金額）の問い合わせ要求を送信し、その結果を前記債権者システムから受信すると前記ＡＴＭ端末にその請求金額を送信する請求金額問い合わせ手段と、
前記ＡＴＭ端末から受信したクレジットカードの売上データに於ける商品の種類を示すコードを、金融商品を示すコードからショッピングを示すコードに変換する売上データ変換手段と、
前記売上データ変換手段で変換された後の売上データをクレジットカード会社システムに送信するセンター側売上データ送信手段と、
前記請求金額及びどの会員が支払ったかを示す情報とを収納データとして前記債権者システムに送信するセンター側収納データ送信手段と、からなる
ことを特徴とする債権決済システム。
【手続補正２】
【補正対象書類名】特許請求の範囲
【補正対象項目名】請求項２
【補正方法】変更
【補正の内容】
【請求項２】
クレジットカードによる後払い形式の決済方法を用いて債権の決済を行う債権決済システムであって、前記債権決済システムは、ＡＴＭ端末と、少なくとも一以上の前記ＡＴＭ端末とデータの送受信が可能なセンター側システムとを有しており、
前記ＡＴＭ端末は、
ＡＴＭ端末に挿入された会員のクレジットカードのデータを読み取り、読み取ったデータを前記センター側システムに送信するＡＴＭカード読取手段と、
前記ＡＴＭ端末に前記会員が入力したデータを受け付け、前記受け付けたデータを前記センター側システムに送信する入力受付手段と、からなり、
前記センター側システムは、
前記ＡＴＭ端末から受信した債権の支払先である債権者システムに対して、前記会員の債権の金額（請求金額）の問い合わせ要求を送信し、その結果を前記債権者システムから受信すると前記ＡＴＭ端末にその請求金額を送信する請求金額問い合わせ手段と、
前記ＡＴＭ端末で読み取ったクレジットカードのデータに基づいて、前記会員がクレジットカード決済が可能であるか否かの照会要求を、クレジットカード会社が有するクレジットカード会社システムに送信するセンター側与信照会手段と、
前記ＡＴＭ端末から受信したクレジットカードの売上データに於ける商品の種類を示すコードを、金融商品を示すコードからショッピングを示すコードに変換する売上データ変換手段と、
前記売上データ変換手段で変換された後の売上データをクレジットカード会社システムに送信するセンター側売上データ送信手段と、
前記請求金額のクレジットカードによる収納が為されたとして、前記請求金額及びどの会員が支払ったかを示す情報とを収納データとして前記債権者システムに送信するセンター側収納データ送信手段と、からなる
ことを特徴とする債権決済システム。
【手続補正３】
【補正対象書類名】特許請求の範囲
【補正対象項目名】請求項５
【補正方法】変更
【補正の内容】
【請求項５】
クレジットカードによる後払い形式の決済方法で債権の決済を受け付ける、少なくとも一以上のＡＴＭ端末との間でデータの送受信が可能なセンター側システムであって、
前記センター側システムは、
前記ＡＴＭ端末から受信した債権の支払先である債権者システムに対して、前記会員の債権の金額（請求金額）の問い合わせ要求を送信し、その結果を前記債権者システムから受信すると前記ＡＴＭ端末にその請求金額を送信する請求金額問い合わせ手段と、
前記ＡＴＭ端末から受信したクレジットカードの売上データに於ける商品の種類を示すコードを、金融商品を示すコードからショッピングを示すコードに変換する売上データ変換手段と、
前記売上データ変換手段で変換された後の売上データをクレジットカード会社システムに送信するセンター側売上データ送信手段と、
前記請求金額及びどの会員が支払ったかを示す情報とを収納データとして前記債権者システムに送信するセンター側収納データ送信手段と、
を有することを特徴とするセンター側システム。
【手続補正４】
【補正対象書類名】特許請求の範囲
【補正対象項目名】請求項６
【補正方法】変更
【補正の内容】
【請求項６】
クレジットカードによる後払い形式の決済方法で債権の決済を受け付ける、少なくとも一以上のＡＴＭ端末との間でデータの送受信が可能なセンター側システムであって、
前記センター側システムは、
前記ＡＴＭ端末から受信した債権の支払先である債権者システムに対して、前記会員の債権の金額（請求金額）の問い合わせ要求を送信し、その結果を前記債権者システムから受信すると前記ＡＴＭ端末にその請求金額を送信する請求金額問い合わせ手段と、
前記ＡＴＭ端末で読み取ったクレジットカードのデータを前記ＡＴＭ端末から受信し、前記受信したクレジットカードのデータに基づいて、前記会員がクレジットカード決済が可能であるか否かの照会要求を、クレジットカード会社が有するクレジットカード会社システムに送信するセンター側与信照会手段と、
前記ＡＴＭ端末から受信したクレジットカードの売上データに於ける商品の種類を示すコードを、金融商品を示すコードからショッピングを示すコードに変換する売上データ変換手段と、
前記売上データ変換手段で変換された後の売上データをクレジットカード会社システムに送信するセンター側売上データ送信手段と、
前記請求金額及びどの会員が支払ったかを示す情報とを収納データとして前記債権者システムに送信するセンター側収納データ送信手段と、
を有することを特徴とするセンター側システム。
【手続補正５】
【補正対象書類名】明細書
【補正対象項目名】０００７
【補正方法】変更
【補正の内容】
【０００７】
請求項１の発明は、
クレジットカードによる後払い形式の決済方法を用いて債権の決済を行う債権決済システムであって、前記債権決済システムは、ＡＴＭ端末と、少なくとも一以上の前記ＡＴＭ端末とデータの送受信が可能なセンター側システムとを有しており、前記ＡＴＭ端末は、ＡＴＭ端末に挿入された会員のクレジットカードのデータを読み取り、読み取ったデータを前記センター側システムに送信するＡＴＭカード読取手段と、前記ＡＴＭ端末に前記会員が入力したデータを受け付け、前記受け付けたデータを前記センター側システムに送信する入力受付手段と、からなり、前記センター側システムは、前記ＡＴＭ端末から受信した債権の支払先である債権者システムに対して、前記会員の債権の金額（請求金額）の問い合わせ要求を送信し、その結果を前記債権者システムから受信すると前記ＡＴＭ端末にその請求金額を送信する請求金額問い合わせ手段と、前記ＡＴＭ端末から受信したクレジットカードの売上データに於ける商品の種類を示すコードを、金融商品を示すコードからショッピングを示すコードに変換する売上データ変換手段と、前記売上データ変換手段で変換された後の売上データをクレジットカード会社システムに送信するセンター側売上データ送信手段と、前記請求金額及びどの会員が支払ったかを示す情報とを収納データとして前記債権者システムに送信するセンター側収納データ送信手段と、からなる債権決済システムである。
【手続補正６】
【補正対象書類名】明細書
【補正対象項目名】０００８
【補正方法】変更
【補正の内容】
【０００８】
請求項５の発明は、
クレジットカードによる後払い形式の決済方法で債権の決済を受け付ける、少なくとも一以上のＡＴＭ端末との間でデータの送受信が可能なセンター側システムであって、前記センター側システムは、前記ＡＴＭ端末から受信した債権の支払先である債権者システムに対して、前記会員の債権の金額（請求金額）の問い合わせ要求を送信し、その結果を前記債権者システムから受信すると前記ＡＴＭ端末にその請求金額を送信する請求金額問い合わせ手段と、前記ＡＴＭ端末から受信したクレジットカードの売上データに於ける商品の種類を示すコードを、金融商品を示すコードからショッピングを示すコードに変換する売上データ変換手段と、前記売上データ変換手段で変換された後の売上データをクレジットカード会社システムに送信するセンター側売上データ送信手段と、前記請求金額及びどの会員が支払ったかを示す情報とを収納データとして前記債権者システムに送信するセンター側収納データ送信手段と、を有するセンター側システムである。
【手続補正７】
【補正対象書類名】明細書
【補正対象項目名】００１１
【補正方法】変更
【補正の内容】
【００１１】
請求項２の発明は、
クレジットカードによる後払い形式の決済方法を用いて債権の決済を行う債権決済システムであって、前記債権決済システムは、ＡＴＭ端末と、少なくとも一以上の前記ＡＴＭ端末とデータの送受信が可能なセンター側システムとを有しており、前記ＡＴＭ端末は、ＡＴＭ端末に挿入された会員のクレジットカードのデータを読み取り、読み取ったデータを前記センター側システムに送信するＡＴＭカード読取手段と、前記ＡＴＭ端末に前記会員が入力したデータを受け付け、前記受け付けたデータを前記センター側システムに送信する入力受付手段と、からなり、前記センター側システムは、前記ＡＴＭ端末から受信した債権の支払先である債権者システムに対して、前記会員の債権の金額（請求金額）の問い合わせ要求を送信し、その結果を前記債権者システムから受信すると前記ＡＴＭ端末にその請求金額を送信する請求金額問い合わせ手段と、前記ＡＴＭ端末で読み取ったクレジットカードのデータに基づいて、前記会員がクレジットカード決済が可能であるか否かの照会要求を、クレジットカード会社が有するクレジットカード会社システムに送信するセンター側与信照会手段と、前記ＡＴＭ端末から受信したクレジットカードの売上データに於ける商品の種類を示すコードを、金融商品を示すコードからショッピングを示すコードに変換する売上データ変換手段と、前記売上データ変換手段で変換された後の売上データをクレジットカード会社システムに送信するセンター側売上データ送信手段と、前記請求金額のクレジットカードによる収納が為されたとして、前記請求金額及びどの会員が支払ったかを示す情報とを収納データとして前記債権者システムに送信するセンター側収納データ送信手段と、からなる債権決済システムである。
【手続補正８】
【補正対象書類名】明細書
【補正対象項目名】００１２
【補正方法】変更
【補正の内容】
【００１２】
請求項６の発明は、
クレジットカードによる後払い形式の決済方法で債権の決済を受け付ける、少なくとも一以上のＡＴＭ端末との間でデータの送受信が可能なセンター側システムであって、前記センター側システムは、前記ＡＴＭ端末から受信した債権の支払先である債権者システムに対して、前記会員の債権の金額（請求金額）の問い合わせ要求を送信し、その結果を前記債権者システムから受信すると前記ＡＴＭ端末にその請求金額を送信する請求金額問い合わせ手段と、前記ＡＴＭ端末で読み取ったクレジットカードのデータを前記ＡＴＭ端末から受信し、前記受信したクレジットカードのデータに基づいて、前記会員がクレジットカード決済が可能であるか否かの照会要求を、クレジットカード会社が有するクレジットカード会社システムに送信するセンター側与信照会手段と、前記ＡＴＭ端末から受信したクレジットカードの売上データに於ける商品の種類を示すコードを、金融商品を示すコードからショッピングを示すコードに変換する売上データ変換手段と、前記売上データ変換手段で変換された後の売上データをクレジットカード会社システムに送信するセンター側売上データ送信手段と、前記請求金額及びどの会員が支払ったかを示す情報とを収納データとして前記債権者システムに送信するセンター側収納データ送信手段と、を有するセンター側システムである。